(57)【特許請求の範囲】
【請求項１】
車載電子機器において予め定められた機能を、該車載電子機器に対応して設けられた機能操作部に対するユーザによる操作情報に基づいて実行するとき、
前記ユーザによる操作が、予め定められた時間内に予め定められた回数を超えて行われたものであるときに、その操作を、前記車載電子機器が前記ユーザの期待どおりに動作しないときの該ユーザの特定反応動作として検出するとともに、前記特定反応動作を検出したときの車両の状態を検出し、検出した車両の状態を前記特定反応動作に関連付け、さらに、前記特定反応動作が行われたことを記憶したタイミングである記憶時期と合わせて特定反応動作記憶領域に記憶し、
前記特定反応動作記憶領域は、前記車載電子機器が前記ユーザの期待どおりに動作したときの操作を記憶する操作情報記憶領域とは別に設けられることを特徴とする操作情報管理方法。
【請求項２】
予め定められた機能を実現する車載電子機器の制御処理を、該車載電子機器に対応して設けられた機能操作部に対するユーザによる操作情報に基づいて実行する車載電子機器制御手段と、
前記ユーザによる操作が予め定められた時間内に予め定められた回数を超えて行われたものであるときに、その操作を、前記車載電子機器が該ユーザの期待どおりに動作しないときの該ユーザの特定反応動作として検出する特定反応動作検出手段と、
検出された前記特定反応動作を記憶する特定反応動作記憶手段と、
車両の状態を検出する車両状態検出手段と、
前記車載電子機器制御手段が、前記特定反応動作検出手段が前記特定反応動作を検出した場合に、前記車両の状態を前記特定反応動作に対応付け、さらに、前記特定反応動作が行われたことを記憶したタイミングである記憶時期と合わせて記憶する特定反応動作記憶手段と、を備え、
前記特定反応動作記憶手段は、前記車載電子機器が前記ユーザの期待どおりに動作したときの操作を記憶する操作情報記憶手段とは別に設けられることを特徴とする操作情報管理システム。
【請求項３】
前記車載電子機器は、複数の各運転者に最適なステアリング位置を予めデータとして記憶しておき、運転者が着座した場合に所定のスイッチ操作によって運転者に応じた最適なデータを選択し、それに基づいてステアリングを最適な位置に電気的に移動させる機能を含む電動チルト機構および電動テレスコピック機構を備えた電動式ステアリング位置調整装置である請求項２に記載の操作情報管理システム。
【請求項４】
前記車載電子機器は、複数の各運転者に最適なシート位置を予めデータとして記憶しておき、運転者が着座した場合に所定のスイッチ操作によって運転者に応じた最適なデータを選択し、それに基づいてシートを最適な位置に電気的にスライドさせる機能を含む電動シート装置である請求項２または請求項３に記載の操作情報管理システム。
【発明の詳細な説明】
【技術分野】
【０００１】
本発明は、ユーザによる操作に基づいて予め定められた機能を実現する電子機器において、電子機器がユーザの期待通りに動作しない状況における操作情報を記憶する操作情報管理方法および操作情報管理システムに関するものである。
【背景技術】
【０００２】
車載電子機器をはじめとする電子機器においては、ユーザのスイッチ操作をトリガとして、そのスイッチ状態の組合せにより各種機能を実現している。そして、近年の高機能化・多機能化に伴い、ユーザが操作するスイッチ数は増加し、また操作手順も複雑化している。このような背景において、電子機器制御に対するユーザクレームは、その制御内容から、「スイッチ操作したが目的の機能が作動しない」といった内容のものが増えてきている。
【０００３】
ユーザクレームが発生した場合は、その故障診断（原因調査）が必要となるが、上記のごとくスイッチ数や配線が増加しているために、診断が必要な箇所も飛躍的に増大している。さらに、スイッチ数の増加や操作手順の複雑化は、ユーザによる誤認識や誤操作といったヒューマンエラーが原因のクレームも増加させており、車両側の機能不全診断だけを行う従来の定型的な故障診断では原因究明が困難になってきた。
【０００４】
そこで、これらの状況を踏まえ車載電子機器では、ユーザ操作による作動・不作動履歴に係る、履歴データを不揮発性メモリに記憶し、故障診断時に診断ツールでデータを読み出して、これをクレーム発生原因の究明に利用することが行われている。例えば、ユーザ操作により特定機能を作動させた場合、その作動のトリガになった要因と発生時刻とを履歴データとして不揮発性メモリに逐次記憶しておき、これを、故障診断時にユーザへの問診結果から確認した操作や（おおよその）発生時刻と比較することにより、確認が必要な箇所を限定することができる。また、ユーザ操作により特定機能の動作制御処理を開始したが、何らかの理由（条件成立）により動作制御処理を最後まで完遂できなかった場合も、その理由と時刻とを逐次記憶しておくことが故障診断時には有利である。いずれの場合も、故障への関与が疑われる全ての経路を場当たり的に確認する方法と比較して、原因究明の効率化を図ることが可能である。
【０００５】
この場合、所定時間毎にセンサ・スイッチの検出値を取得して記憶するため、データの記憶量は膨大なものとなる。そこで、例えば、複数のセンサ毎に時間差分データを算出・記憶して、記憶された時間差分データの更新を行うようにして、異常の原因を推定するために用いるデータの記憶量を削減する車両の異常診断装置が考案されている（特許文献１参照）。
【０００６】
また、ギヤポジションスイッチ，シフトレバースイッチ，ニュートラルポジションスイッチ，クラッチスイッチのうちのいずれか１つ以上の変速操作スイッチ等の、変速回数検出手段の異常故障を精度良く検出することのできるエンジン制御システムが考案されている（特許文献２参照）。
【０００７】
【特許文献１】特開２００７−１９８２９０号公報
【特許文献２】特開２００４−３０８６８５号公報
【発明の開示】
【発明が解決しようとする課題】
【０００８】
スイッチを押下するたびにその押下情報を記憶する場合、押下情報を記憶するための容量を多く確保しておく必要がある。一般的に、車載電子機器はマイコンを用いて構成されるので、元々の記憶容量が比較的少ないため、押下情報を記憶するための記憶容量を十分確保できないことが多い。
【０００９】
特許文献１および特許文献２の例では、ある程度データの記憶量を削減するように構成されているが、各種センサ・スイッチの検出条件が定められておらず（走行状態によらず常時検出を行っている）、削減量が十分ではないという問題がある。
【００１０】
「操作スイッチを押下すると所定の機能が作動する」車載電子機器において、故障解析やユーザクレームに対応するときのために、「操作スイッチが押下されたときに押されたことを記憶」し、記憶内容を読み出すことでなぜ作動したか、作動しなかったかを解析する手法がある。
【００１１】
例えばイグニッションスイッチがＯＮ状態でないと作動しない車載電子機器の操作スイッチを、イグニッションスイッチがＯＦＦ状態のときに押下した場合、車載電子機器が作動しないため、ユーザは操作スイッチを何回も押下することが想定される。このような操作をされた場合、操作スイッチを１回押下した毎に記憶する方法であると、同じ内容の操作が複数回記憶され、記憶容量の無駄になるばかりか真に必要な情報を上書きして消してしまうという問題が発生する。
【００１２】
上記問題を背景として、本発明の課題は、操作情報の記憶量を削減しつつ、必要な操作情報を記憶して、適確な故障解析を行うことが可能な操作情報管理方法および操作情報管理システムを提供することにある。
【課題を解決するための手段および発明の効果】
【００１３】
上記課題を解決するための操作情報管理方法は、ユーザによる操作に基づいて予め定められた機能を実現する車載電子機器において、ユーザによる操作が、予め定められた時間内に予め定められた回数を超えて行われたものであるときに、その操作を、電子機器がユーザの期待どおりに動作しないときの該ユーザの特定反応動作として記憶することを前提とする。
【００１４】
本発明は、スイッチ等の操作を行っても車載電子機器がユーザの期待どおりに動作しないときに、該ユーザがスイッチをさらに押して（例えば連打のような、比較的短時間に何回も押下して）動作させようと試みる傾向が大きいことに着目し、スイッチの連打を一つの操作とし、特定反応動作として記憶するものである。上記構成によって、スイッチの一回の操作毎に記憶する方法に比べて、記憶領域が少なくて済み、真に必要な情報を上書きして消してしまうという問題も解消できる。無論、適確な車載電子機器の故障解析を行うことも可能である。
【００１５】
また、本発明の操作情報管理方法は、前記特定反応動作を検出したときの車両の状態を検出し、検出した車両の状態を特定反応動作に関連付けて記憶するように構成される。
【００１６】
上記構成によって、特定反応動作が発生したときの車載電子機器の動作状態も把握できるので、より適確な車載電子機器の故障解析を行うことができる。
【００１７】
また、本発明の操作情報管理方法における特定反応動作を記憶する特定反応動作記憶領域は、車載電子機器が前記ユーザの期待どおりに動作したときの操作を記憶する操作情報記憶領域とは別に設けられるように構成される。
【００１８】
上記構成によって、特定反応動作時の操作が他の操作と混合して記憶される構成よりも、特定反応動作に関する情報の取り出しが容易となり、より迅速に車載電子機器の故障解析を行うことができる。
【００１９】
また、上記課題を解決するための操作情報管理システムは、予め定められた機能を実現する車載電子機器の制御処理を、該車載電子機器に対応して設けられた機能操作部に対するユーザによる操作情報に基づいて実行する車載電子機器制御手段と、ユーザによる操作が予め定められた時間内に予め定められた回数を超えて行われたものであるときに、その操作を、車載電子機器が該ユーザの期待どおりに動作しないときの該ユーザの特定反応動作として検出する特定反応動作検出手段と、検出された特定反応動作を記憶する特定反応動作記憶手段と、を備えることを前提とする。
【００２０】
本発明は、スイッチ等の操作を行っても車載電子機器がユーザの期待どおりに動作しないときに、該ユーザがスイッチをさらに押して（例えば連打のような、比較的短時間に何回も押下して）動作させようと試みる傾向が大きいことに着目し、スイッチの連打を一つの操作とし、特定反応動作として記憶するものである。上記構成によって、スイッチの一回の操作毎に記憶する方法に比べて、記憶領域が少なくて済み、真に必要な情報を上書きして消してしまうという問題も解消できる。無論、適確な車載電子機器の故障解析を行うことも可能である。
【００２１】
また、本発明の操作情報管理システムは、車両の状態を検出する車両状態検出手段を備え、車載電子機器制御手段は、特定反応動作検出手段が特定反応動作を検出した場合に、特定反応動作記憶手段に、車両の状態を特定反応動作に対応付けて記憶するように構成される。
【００２２】
上記構成によって、特定反応動作が発生したときの車載電子機器の動作状態も把握できるので、より適確な車載電子機器の故障解析を行うことができる。
【００２３】
また、本発明の操作情報管理システムにおける特定反応動作記憶手段は、車載電子機器がユーザの期待どおりに動作したときの操作を記憶する操作情報記憶手段とは別に設けられるように構成される。
【００２４】
上記構成によって、特定反応動作時の操作が他の操作と混合して記憶される構成よりも、特定反応動作に関する情報の取り出しが容易となり、より迅速に車載電子機器の故障解析を行うことができる。
【００２５】
また、本発明の操作情報管理システムにおける車載電子機器は、複数の各運転者に最適なステアリング位置を予めデータとして記憶しておき、運転者が着座した場合に所定のスイッチ操作によって運転者に応じた最適なデータを選択し、それに基づいてステアリングを最適な位置に電気的に移動させる機能を含む電動チルト機構および電動テレスコピック機構を備えた電動式ステアリング位置調整装置であるように構成される。
【００２６】
車載電子機器は、機能に応じて予め定められた条件（車両状態条件）において、ユーザによる所定のスイッチ操作を有効と判定して、スイッチ操作に応じた動作を行い。予め定められた条件が成立していないときには、該スイッチ操作を無効と判定して動作を行わないようになっている。電動式ステアリング位置調整装置においても、車両状態によって作動する機能と作動しない機能がある。車両状態条件を十分把握できていないユーザが操作したとき、「操作しようとしたのに作動しなかった」状況が発生し、該ユーザが特定反応動作を行うことは十分に考えられる。上記構成によって、電動式ステアリング位置調整装置において、本発明の作用効果を得ることができる。
【００２７】
また、本発明の操作情報管理システムにおける車載電子機器は、複数の各運転者に最適なシート位置を予めデータとして記憶しておき、運転者が着座した場合に所定のスイッチ操作によって運転者に応じた最適なデータを選択し、それに基づいてシートを最適な位置に電気的にスライドさせる機能を含む電動シート装置であるように構成される。
【００２８】
上記構成によって、電動式ステアリング位置調整装置と同様に、電動シート装置においても、本発明の作用効果を得ることができる。
【発明を実施するための最良の形態】
【００２９】
まず、図１〜図３を用いて、本発明の操作情報管理方法の概念について説明する。図１に従来の構成を、図２に本発明の構成を示す。また、図３に、記憶領域に着目した、従来の構成と本発明の構成との比較を示す。図１および図２は、ユーザがスイッチ（ＳＷ）１００を押下操作し、そのスイッチ押下操作に基づいて、作動条件が成立した場合に制御ＥＣＵ１０１が制御対象１０２を作動させる構成となっている。なお、スイッチ１００が、本発明の機能操作部に相当する。また、制御ＥＣＵ１０１が、本発明の車載電子機器制御手段に相当する。また、制御対象１０２が、本発明の電子機器あるいは車載電子機器に相当する。
【００３０】
図１の構成では、「右矢印：⇒」で表されるスイッチ押下操作が発生する度に、作動条件が成立したか否かによらず、そのスイッチ押下操作が発生したこと（以下、イベントと称する）を記憶領域１０３に記憶する（図３の下部の構成参照）。図３のように、記憶領域１０３はイベント５回分を記憶するだけの記憶容量しかないとすると、６回目のイベントは１回目のイベントに上書きされて記憶される。ここで、２回目以降のイベントが、制御対象がユーザの期待どおりに動作しなかったためにユーザが該スイッチを連続押下したものであるとすると、記憶領域１０３全体がスイッチの連続押下のイベントで占められてしまい、真に必要なデータを残すためには、記憶領域１０３の記憶容量を大きくしなければならなくなる。
【００３１】
一方、図２のような、本発明の構成では、スイッチが最初の押下からＮ秒以内にＸ回以上押下された場合にのみ、例えば「スイッチがＸ回以上押下された」という情報を記憶する。そして、この情報の記憶容量は、スイッチ押下１回分の情報を記憶する容量と同じであるため、図３のように、スイッチを５回押下した場合、従来の構成では５個の記憶容量を必要とする（図３の下部の構成参照）のに対し、本発明の構成では、１個の記憶容量（つまり従来の１／Ｘ）で済むという利点がある（図３の上部の構成参照）。
【００３２】
図４を用いて、本発明の操作情報管理システムについて説明する。図４は、車載電子機器として、複数の各運転者に最適なステアリング位置を予めデータとして記憶しておき、運転者が着座した場合に所定のスイッチ操作によって運転者に応じた最適なデータを選択し、それに基づいてステアリング４３を最適な位置に電気的に移動させる機能を含む電動チルト機構および電動テレスコピック機構（ともに４２）を備えた電動式ステアリング位置調整装置４０、および、複数の各運転者に最適なシート位置を予めデータとして記憶しておき、運転者が着座した場合に所定のスイッチ操作によって運転者に応じた最適なデータを選択し、それに基づいてシート５２を最適な位置に電気的にスライドさせる機能を含む電動シート装置５０を用いたものである。なお、電動式ステアリング位置調整装置４０，電動シート装置５０が本発明の電子機器，車載電子機器に相当する。
【００３３】
無論、電動式ステアリング位置調整装置４０あるいは電動シート装置５０の他の車載電子機器、例えば、車両のドアに取り付けられ、格納位置と展開位置の間を回転移動したり、運転者に応じて鏡面の角度を調整可能な電動ドアミラー装置を用いてもよい。
【００３４】
操作情報管理システム１は、連続押下記憶対象スイッチ（ＳＷ）群１１，車両状況確認スイッチ（ＳＷ）群１２，およびこれらが接続された制御回路３１を含んで構成される。制御回路３１には、電動式ステアリング位置調整装置４０の動作を制御するチルト・テレスコＥＣＵ４１，電動シート装置５０の動作を制御する電動シート装置ＥＣＵ５１が接続されている。制御回路３１とチルト・テレスコＥＣＵ４１、制御回路３１と電動シート装置ＥＣＵ５１とは、それぞれ相互に通信可能な構成となっている。また、チルト・テレスコＥＣＵ４１，電動シート装置ＥＣＵ５１は、制御回路３１と同様の構成をとる。
【００３５】
制御回路３１は周知のＣＰＵ３１ａ，ＲＯＭ３１ｂ，ＲＡＭ３１ｃ，および不揮発性記憶媒体であるメモリ３１ｄを含み、ＣＰＵ３１ａがＲＯＭ３１ｂに記憶された制御プログラム（図示せず）を実行することで、本発明の操作情報管理システムとしての機能を実現する。なお、制御回路３１が本発明の車載電子機器制御手段，特定反応動作検出手段に相当する。制御回路３１は、ユーザのスイッチ操作と車両状況とに基づいて、ユーザがどの車載電子機器を動作させたいかを推定し、その推定結果に基づいて、動作の対象となる車載電子機器に動作指令を送るユーザ意思推定制御装置の役割を果たしている。
【００３６】
連続押下記憶対象スイッチ群１１は、例えば再生ＳＷ１１ａ，記憶ＳＷ１１ｂを含む。再生ＳＷ１１ａは、電動式ステアリング位置調整装置４０あるいは電動シート装置５０において、ユーザに対応して記憶されたステアリング位置あるいはシート位置を、それぞれのＥＣＵ（４１，５１）に含まれるメモリ（図示せず）から読み出して、ステアリング４３の前後位置（テレスコ）および上下位置（チルト）、あるいはシート５２の前後位置および上下位置を調整するために用いるものである。また、記憶ＳＷ１１ｂは、ステアリング４３の前後位置および上下位置、あるいはシート５２の前後位置および上下位置を、それぞれのＥＣＵに含まれるメモリに記憶させるために用いるものである。なお、連続押下記憶対象スイッチ群１１が本発明の機能操作部に相当する。
【００３７】
なお、これら再生ＳＷ１１ａ，記憶ＳＷ１１ｂは、制御の対象となる車載電子機器毎に設けてもよい。
【００３８】
なお、電動式ステアリング位置調整装置については、特開２００６−３４７３７１号公報に、電動シート装置については、特開平０６−０９２１６６号公報，特開平０７−０１７３１１号公報に詳細が記載されている。
【００３９】
車両状況確認スイッチ群１２は、連続押下記憶対象スイッチ群１１が押下されたときの、その押下操作が有効か無効かを判定するためのもので、例えば、シフトレバーの位置を検出するシフトＳＷ１２ａ，エンジンの始動／停止等を行うプッシュＳＷ１２ｂ，ＩＧ−ＳＷ（イグニッションスイッチ）１２ｃ，シートベルトのバックルが装着されているか否かを検出するバックルＳＷ１２ｄ等を含んでいる。なお、車両状況確認スイッチ群１２が本発明の車両状態検出手段に相当する。
【００４０】
電動式ステアリング位置調整装置４０においては、ステアリング位置のメモリ呼び出しをする再生ＳＷ１１ａの押下操作が有効となるのは、以下の条件を満たすときである。電動シート装置５０において、シート位置のメモリ呼び出しをする再生ＳＷ１１ａの押下操作が有効となるのも、以下の２つの条件を満たすときである。
・  シフトＳＷ１２ａがパーキング位置にある。
・  プッシュＳＷ１２ｂがＯＮ状態，ＩＧ−ＳＷ１２ｃがＡＣＣ位置にある。またはバックルＳＷ１２ｄがＯＮ（装着）状態である。
【００４１】
なお、記憶ＳＷ１２ｂの操作によるステアリング位置あるいはシート位置の記憶は、電動式ステアリング位置調整装置４０あるいは電動シート装置５０に電源が供給されていれば常に行うことができる。また、マニュアル操作によるステアリング位置あるいはシート位置の調整も、同様に電源が供給されていれば常に行うことができる。
【００４２】
図５を用いて、特定反応動作記憶処理について説明する。なお、本処理はＲＯＭ３１ｂに記憶された制御プログラム（図示せず）に含まれ、ＣＰＵ３１ａによって他の処理とともに繰り返し実行される。まず、ＲＡＭ３１ｃ上のタイマが、例えば２０秒を経過してタイムアウト状態となった場合（Ｓ１１：Ｙｅｓ）、タイマ時間およびＳＷ操作カウンタを初期化（例えばゼロクリア）する（Ｓ１８）。
【００４３】
一方、タイムアウト状態ではない場合（Ｓ１１：Ｎｏ）、連続押下記憶対象スイッチ（ＳＷ）群１１の状態を検出し、ユーザによる該スイッチの操作が行われたか否かを判定する（Ｓ１２）。スイッチの操作が行われなかったと判定された場合（Ｓ１２：Ｙｅｓ）、本処理を終了する。
【００４４】
一方、スイッチの操作が行われたと判定された場合（Ｓ１２：Ｎｏ）、ＲＡＭ３１ｃ上のタイマが未作動か否かを判定する（Ｓ１３）。タイマが初期化された状態であれば未作動と判定することができる。タイマが未作動と判定された場合（Ｓ１３：Ｙｅｓ）、タイマを作動させ（Ｓ１６）、ステップＳ１４に移る。一方、タイマが作動中と判定された場合（Ｓ１３：Ｎｏ）、ステップＳ１４に移る。
【００４５】
ステップＳ１４では、ＲＡＭ３１ｃ上のＳＷ操作カウンタ値をインクリメントする（１回分増やす）。
【００４６】
次に、ＳＷ操作カウンタ値が、例えば５回のような予め定められた規定回数を上回ったか否かを判定する（Ｓ１５）。ＳＷ操作カウンタ値が規定回数を上回っていないと判定された場合（Ｓ１５：Ｎｏ）、本処理を終了する。
【００４７】
一方、ＳＷ操作カウンタ値が規定回数を上回ったと判定された場合（Ｓ１５：Ｙｅｓ）、メモリ３１ｄ上の特定反応動作記憶領域３１ｄ１（図６参照）に、スイッチ操作が時間内に規定回数回行われたことと、車両状態すなわち車両状況確認スイッチ群１２の状態とを関連付けて、特定反応動作として記憶する（Ｓ１７）。その後、タイマ時間およびＳＷ操作カウンタを初期化する（Ｓ１８）。
【００４８】
上述の特定反応動作記憶処理では、ユーザのスイッチ操作の状態から、その操作が有効か無効がおのずと判定されるので、連続押下記憶対象スイッチ（ＳＷ）群１１の操作のたびに、その操作が有効か無効かを判定する必要がないという利点がある。
【００４９】
図６に、メモリ３１ｄ上の特定反応動作記憶領域３１ｄ１の一例を示す。特定反応動作記憶領域３１ｄ１には、特定反応動作が行われたスイッチの名称（再生ＳＷ１１ａ，記憶ＳＷ１１ｂ等），特定反応動作が行われたときの車両状態（シフトＳＷ１２ａ，プッシュＳＷ１２ｂ，ＩＧ−ＳＷ１２ｃ，バックルＳＷ１２ｄの状態）が記憶される。なお、特定反応動作記憶領域３１ｄ１が本発明の特定反応動作記憶手段に相当する。
【００５０】
また、特定反応動作が行われたことを記憶したタイミングである記憶時期を合わせて記憶してもよい。これは、制御回路３１に時計機能を有する周知の時計ＩＣが含まれている場合には、その時計ＩＣから日時情報を取得して特定反応動作に関連付けて記憶する。また、ＣＰＵ３１ａが有するシステムタイマ，フリーランカウンタ等の内部タイマ，内部カウンタの値を記憶してもよい。特定反応動作の記憶時期が分かれば、故障解析に役立てることができる。
【００５１】
図７を用いて、操作情報記憶処理について説明する。なお、本処理は、特定反応動作以外の動作、すなわちユーザの期待どおりに動作したときの操作を記憶する処理である。また、本処理はＲＯＭ３１ｂに記憶された制御プログラム（図示せず）に含まれ、ＣＰＵ３１ａによって他の処理とともに繰り返し実行される。
【００５２】
まず、連続押下記憶対象スイッチ（ＳＷ）群１１の状態を取得する（Ｓ３１）。次に、ユーザによる該スイッチの操作が行われたか否かを判定する（Ｓ３２）。スイッチの操作が行われなかったと判定された場合（Ｓ３２：Ｙｅｓ）、本処理を終了する。
【００５３】
一方、スイッチの操作が行われたと判定された場合（Ｓ３２：Ｎｏ）、車両状態すなわち車両状況確認スイッチ群１２の状態を取得する（Ｓ３３）。そして、取得した車両状態において該スイッチの操作が無効か否かを判定する（Ｓ３４）。該スイッチの操作が無効と判定された場合（Ｓ３４：Ｙｅｓ）、本処理を終了する。
【００５４】
一方、スイッチの操作が有効と判定された場合（Ｓ３４：Ｎｏ）、該スイッチに対応した制御を実行するように、チルト・テレスコＥＣＵ４１あるいは電動シート装置ＥＣＵ５１に制御指令を出力する（Ｓ３５）。そして、例えば、電動シート装置５０では、再生ＳＷが押下された場合、その再生ＳＷに対応する情報を電動シート装置ＥＣＵ５１に含まれるメモリ（図示せず）から読出し、その情報に応じたシート位置あるいはシート高さになるように、シート５２の位置調整動作を行う。
【００５５】
最後に、メモリ３１ｄ上の操作情報記憶領域３１ｄ２（図１参照）に、操作されたスイッチの操作情報を記憶する（Ｓ３６）。操作情報記憶領域３１ｄ２は、上述の特定反応動作記憶領域３１ｄ１とは別に設けられ、操作されたスイッチの名称と、出力された制御指令の内容が関連付けられて記憶される。特定反応動作記憶領域と同様に、操作情報の記憶時期も記憶してもよい。なお、操作情報記憶領域３１ｄ２が本発明の操作情報記憶手段に相当する。
【００５６】
図４の構成では、チルト・テレスコＥＣＵ４１，電動シート装置ＥＣＵ５１，制御回路３１は別構成であるが、制御回路３１をチルト・テレスコＥＣＵ４１あるいは電動シート装置ＥＣＵ５１と一体化した構成としてもよい。
【００５７】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００５８】
【図１】従来の操作情報管理方法の構成を示す図。
【図２】本発明の操作情報管理方法の構成を示す図。
【図３】操作情報管理方法の、従来の構成と本発明の構成との比較を示す図。
【図４】操作情報管理システムの構成を示す図。
【図５】特定反応動作記憶処理を説明するフロー図。
【図６】特定反応動作記憶領域の例を示す図。
【図７】操作情報記憶処理を説明するフロー図。
【符号の説明】
【００５９】
１    操作情報管理システム
１１    連続押下記憶対象スイッチ群（機能操作部）
１２    車両状況確認スイッチ群（車両状態検出手段）
３１    制御回路（車載電子機器制御手段，特定反応動作検出手段）
３１ａ  ＣＰＵ
３１ｂ  ＲＯＭ
３１ｃ  ＲＡＭ
３１ｄ  メモリ
３１ｄ１  特定反応動作記憶領域（特定反応動作記憶手段）
３１ｄ２  操作情報記憶領域（操作情報記憶手段）
４０    電動式ステアリング位置調整装置（電子機器，車載電子機器，制御対象）
４１    チルト・テレスコＥＣＵ
５０    電動シート装置（電子機器，車載電子機器，制御対象）
５１    電動シート装置ＥＣＵ
１００    スイッチ（ＳＷ，機能操作部）
１０１    制御ＥＣＵ（車載電子機器制御手段）
１０２    制御対象（電子機器，車載電子機器）
１０３    記憶領域（特定反応動作記憶手段）
【図１】
0005262147.tif 000002
【図２】
0005262147.tif 000003
【図３】
0005262147.tif 000004
【図４】
0005262147.tif 000005
【図５】
0005262147.tif 000006
【図６】
0005262147.tif 000007
【図７】
0005262147.tif 000008